(57)【要約】【課題】ポケット部を有するテープカセット用収納ケースにおいて、ポケット部の使い勝手を維持しながら、そのポケット部の損傷を防ぐ。【解決手段】テープカセットＣを収納するテープカセット用収納ケース１０は、テープカセット用収納ケース１０の蓋部１２の天板３５の内側面上に設けられる面状部材５１と、面状部材５１の一部を天板３５の内側面に溶着する溶着部５２，５３とで構成されるポケット部５０を備え、面状部材５１には、溶着部５３のポケット部５０のラベルシート挿入口５５側端部付近に、略Ｕ字形状の切欠部５４が設けられる。切欠部５４の最深部５４ａは、面状部材５１が天板３５の内側面上から持ち上げられる際に溶着部５３と面状部材５１との境界に加わる力を吸収するための吸収部として機能する。【選択図】図１
2005350089.tif 000002
【特許請求の範囲】
【請求項１】
テープカセットを収納するテープカセット用収納ケースであって、
前記テープカセット用収納ケースのケース本体部材上に設けられる面状部材と、前記面状部材の一部を前記ケース本体部材に溶着する溶着部とで構成されるポケット部を備え、
前記面状部材には、前記溶着部の前記ポケット部の入口側端部付近に、前記面状部材が前記ケース本体部材上から持ち上げられる際に前記溶着部と前記面状部材との境界に加わる力を吸収するための吸収部が形成されているテープカセット用収納ケース。
【請求項２】
請求項１記載のテープカセット用収納ケースであって、
前記吸収部は、前記面状部材に設けられた切欠部によって形成されているテープカセット用収納ケース。
【請求項３】
請求項２記載のテープカセット用収納ケースであって、
前記切欠部は曲線部分を有し、前記吸収部は前記曲線部分に形成されているテープカセット用収納ケース。
【発明の詳細な説明】
【技術分野】
【０００１】
本発明は、放送局でテープカセットを収納して保護するのに用いられるテープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の収納ケースに収納される。
【０００３】
このような従来のテープカセット用収納ケースの一例として、収納部と、蓋部と、ヒンジ部と、からなるテープカセット用収納ケースが知られている（例えば、特許文献１参照）。
【０００４】
図５は、従来のテープカセット用収納ケースの蓋部の内部構成を示す平面図である。図５に示すように、従来のテープカセット用収納ケースの蓋部の天板１００の内側面には、テープカセットの内容等を記載したラベルシート１０１を収納するためのポケット部１０２が設けられている。ポケット部１０２は、軟性合成樹脂製の透明なシート１０３の一部を溶着部１０４，１０５において天板１００に溶着して構成したものである。ポケット部１０２にラベルシート１０１を収納する場合、例えばユーザは、シート１０３の符号Ｓで示す斜線領域を指でつまみ、シート１０３を図中の矢印方向にめくり上げる。そして、この状態でシート１０３と天板１００との間にラベル１０１を挿入する。このようなポケット部１０２をテープカセット用収納ケースに設けておくことにより、テープカセットの管理を容易に行うことができるようになっている。
【０００５】
【特許文献１】特開２００２−１７９１７６号公報
【発明の開示】
【発明が解決しようとする課題】
【０００６】
図５に示すテープカセット用収納ケースのポケット部１０２は、溶着部１０４，１０５においてシート１０３の厚さがその他の部分の厚さよりも薄くなっており、溶着部１０４，１０５とシート１０３との境界部分１０６，１０７の強度は弱い。このため、ユーザがシート１０３をめくり上げたときにシート１０３に伝わる力によって境界部分１０６，１０７のシート１０３が切れ易いという問題点がある。
【０００７】
本発明は、上記事情に鑑みてなされたものであり、ポケット部を有するテープカセット用収納ケースにおいて、ポケット部の使い勝手を維持しながら、そのポケット部の損傷を防ぐことを目的とする。
【課題を解決するための手段】
【０００８】
本発明のテープカセット用収納ケースは、テープカセットを収納するテープカセット用収納ケースであって、前記テープカセット用収納ケースのケース本体部材上に設けられる面状部材と、前記面状部材の一部を前記ケース本体部材に溶着する溶着部とで構成されるポケット部を備え、前記面状部材には、前記溶着部の前記ポケット部の入口側端部付近に、前記面状部材が前記ケース本体部材上から持ち上げられる際に前記溶着部と前記面状部材との境界に加わる力を吸収するための吸収部が形成されている。
【０００９】
この構成により、面状部材には吸収部が形成されているため、面状部材をケース本体部材上から持ち上げた場合でも、この吸収部で力が吸収され、溶着部付近において面状部材が損傷してしまうのを防ぐことができる。また、吸収部は溶着部のポケット部の入口側端部付近に形成されているため、ポケット部の使い勝手を維持しながら、面状部材の損傷を防ぐことができる。
【００１０】
また、本発明のテープカセット用収納ケースは、前記吸収部が、前記面状部材に設けられた切欠部によって形成されている。
【００１１】
この構成により、ポケット部の使い勝手を維持しながら、溶着部付近において面状部材が損傷してしまうのを防ぐことができる。
【００１２】
また、本発明のテープカセット用収納ケースは、前記切欠部が曲線部分を有し、前記吸収部が前記曲線部分に形成されている。
【００１３】
この構成により、吸収部から面状部材が損傷してしまうのを防ぐことができる。
【発明の効果】
【００１４】
本発明によれば、ポケット部を有するテープカセット用収納ケースにおいて、ポケット部の使い勝手を維持しながら、そのポケット部の損傷を防ぐことができる。
【発明を実施するための最良の形態】
【００１５】
以下、本発明に係るテープカセット用収納ケースの実施形態を図面に基づいて詳細に説明する。
図１は、本発明に係るテープカセット用収納ケースの実施形態において、蓋部を開いた状態を示す図である。図２〜４は、図１に示すテープカセット用収納ケースの蓋部に設けられるポケット部の平面図である。
【００１６】
図１に示すように、テープカセット用収納ケース１０は、テープカセットＣを収納する収納部１１と、この収納部１１を覆うことができるように形成された蓋部１２と、収納部１１及び蓋部１２を開閉可能に連結する背板１３とを備えている。また、テープカセット用収納ケース１０は、収納部１１にヒンジ部１５を介して支持されたロック片１４を備えている。
【００１７】
テープカセット用収納ケース１０は、ポリプロピレン（ＰＰ）等の高分子樹脂を材料として一体成形されている。
【００１８】
収納部１１は、平面視において略長方形を有する底板１６を有している。底板１６の長縁辺及び短縁辺に、テープカセットＣの収納される部位の周囲を囲むように周板１７，１８，１９，２０が直立して形成されている。周板１７は収納部１１の正面側に配され、周板１８は収納部１１の背面側に配され、周板１９，２０は収納部１１の左・右面側に配されている。
【００１９】
収納部１１の底板１６の中央部には、一対のリール係止リブ２５が形成されている。リール係止リブ２５には、磁気テープカセットＣに設けられた図示しない巻取ハブのリール孔を挿入することにより、磁気テープカセットＣを収納部１１に位置決めする。
【００２０】
収納部１１における周板１７の前側面（図１における手前側の面）の両端部に、一対の第１の係合部２８が形成されている。
【００２１】
蓋部１２は、図１中上方視において略長方形状の天板３５を有している。天板３５における一方の長縁辺には外板２９が立設され、天板３５における２つの短縁辺には外板３０，３１が立設されている。
【００２２】
また、蓋部１２は、天板３５が他方の長縁辺でヒンジ部４１を介して背板１３に連結されている。収納部１１は、周板１８側に位置する長縁辺でヒンジ部４０を介して背板１３に連結されている。収納部１１と蓋部１２とが、背板１３のヒンジ部４０，４１によって開閉可能に構成されている。蓋部１２を閉じた状態で、蓋部１２の天板３５における外板２９，３０，３１の内側面が収納部１１の周板１７，１９，２０の外側面と対向するように構成されている。
【００２３】
蓋部１２における、ヒンジ部４１とは反対側に位置する外板２９の内側には、一対の第１の係止部３２が形成されている。第１の係止部３２は、蓋部１２が閉じられた際に、収納部１１の周板１７における第１の係合部２８に係合するように構成されている。
【００２４】
収納部１１の前面側の周板１７における中央下端部には、台形形状を有する板状のロック片１４が形成されている。ロック片１４と周板１７との境界部分にはヒンジ部１５が形成され、ロック片１４がヒンジ部１５によって、周板１７側に傾斜させることができるように、収納部１１に対して可動に支持されている。
【００２５】
ロック片１４の先端部には、蓋部１２の外板２９の外側面に形成された係合部（図示せず）と係合可能な係止部４４が形成されている。
【００２６】
テープカセット用収納ケース１０は、蓋部１２が収納部１１に対して閉じられると、第１の係止部２８に蓋部１２の第１の係合部３２がそれぞれ係合し、ロック片１４の係止部４４を蓋部１２の図示しない係合部に係合させることで、収納部１１と蓋部１２とを互いにロックさせることができる構成である。
【００２７】
図１及び図２に示すように、蓋部１２の天板３５の内側面には、テープカセットＣに記録された内容に関する情報などを書き込むためのラベルシートＬを収容保持させることが可能なポケット部５０が設けられている。ポケット部５０は、天板３５の内側面上に設けられる軟性合成樹脂製等の透明又は不透明な面状部材５１が、その一部（ヒンジ部４１側端縁、及び、外板３０側端縁）において天板３５の内側面に熱溶着されている。この熱溶着されている部分を熱溶着部５２，５３として図面に示してある。ポケット部５０は、熱溶着部５２，５３によって熱溶着されていない部分にラベルシート挿入口５５を有する構成である。面状部材５１には、溶着部５３のラベルシート挿入口５５側の端部付近にＵ字形状の切欠部５４が設けられている。
【００２８】
ユーザは、ラベルシートＬをポケット部５０に収納する場合、ラベルシート挿入口５５の符号Ｐで示す斜線領域を指で天板３５上から上方に持ち上げ、面状部材５１と天板３５の内側面との間に隙間を作り、この隙間にラベルシートＬを挿入する。ユーザが面状部材５１を天板３５上から上方に持ち上げた際、面状部材５１に伝わる力は切欠部５４の最深部５４ａによって吸収され、溶着部５３と面状部材５１との境界部に直接力が加わることはない。このため、従来のように、溶着部５３と面状部材５１との境界部において面状部材５１が裂けてしまうといったことを防ぐことができる。
【００２９】
切欠部５４の最深部５４ａは、ユーザが面状部材５１を天板３５上から上方に持ち上げた際に溶着部５３と面状部材５１との境界部に加わる力を吸収する吸収部として機能する。この吸収部の形成位置は、どこでも良いわけではない。例えば、図２において、切欠部５４が符号Ｐで示す斜線領域のすぐ隣にあった場合には、面状部材５１をあまり持ち上げることができず、ポケット部５０の使い勝手が悪い。また、図２において、切欠部５４が溶着部５３に沿って溶着部５２の側まで延びていた場合には、面状部材５１を十分に持ち上げることはできるが、ラベルシートＬを挿入しずらく使い勝手が悪い。このように、吸収部が溶着部５３のラベルシート挿入口５５側の端部から離れた位置にあると、ポケット部５０の使い勝手が悪くなってしまう。このため、吸収部の形成位置は、溶着部５３のラベルシート挿入口５５側の端部付近（ポケット部５０の使い勝手が悪くならない程度の位置）に設定する必要がある。
【００３０】
なお、上記では、溶着部５３のラベルシート挿入口５５側の端部付近にのみ切欠部５４を設けているが、図３に示すように、溶着部５２のラベルシート挿入口５５側の端部付近に略Ｕ字形状の切欠部５６を更に設けても良い。このようにすることで、面状部材５１を天板３５上から上方に持ち上げた際に面上部材５１に伝わる力が、切欠部５６の最深部５６ａによって吸収される。このため、面状部材５１と溶着部５２との境界部において面状部材５１が裂けてしまうといったことも防ぐことができる。切欠部５６の最深部５６ａの形成位置は、溶着部５２のラベルシート挿入口５５側の端部付近（ポケット部５０の使い勝手が悪くならない程度の位置）に設定する必要がある。
【００３１】
また、切欠部５４，５６の形状はＵ字形状に限らず、図４に示すような四角（台形）形状の切欠部５７であっても良い。図４に示す構成の場合、符号Ｑで示す部分を持ち上げた際、切欠部５７の角部５７ａがその力を吸収する吸収部として機能するが、この吸収部は直角になった部分に形成されているため、面状部材５１がこの吸収部から裂けてしまう恐れがある。ところが、図２，３に示すような構成であれば、吸収部が曲線上に形成されているため、面状部材５１が最深部５４ａ，５６ａにおいて裂けしまうといった可能性を少なくすることができる。なお、図４に示した角部５７ａの形成位置の条件は、図２，３に示す最深部５４ａ，５６ａの形成位置の条件と同じである。
【００３２】
このように、テープカセット用収納ケース１０によれば、ポケット部５０にラベルシートＬを収納することでテープカセットＣの管理を容易に行うことができる。また、ポケット部５０にラベルシートＬを収納するために面状部材５１を天板３５上から上方に持ち上げた場合でも、吸収部によって溶着部５２及び／又は溶着部５３と面状部材５１との境界には力が加わりにくくなっているため、面状部材５１の損傷を防ぐことができる。また、吸収部の形成位置が溶着部５２及び／又は溶着部５３のラベルシート挿入口５５側の端部付近に設定されているため、ポケット部５０の使い勝手を良好なものにしながら、面状部材５１の損傷を防ぐという効果を得ることができる。
【図面の簡単な説明】
【００３３】
【図１】本発明に係るテープカセット用収納ケースの実施形態において、蓋部を開いた状態を示す図
【図２】図１のテープカセット用収納ケースの蓋部に設けられるポケット部の平面図
【図３】図１のテープカセット用収納ケースの蓋部に設けられるポケット部の平面図
【図４】図１のテープカセット用収納ケースの蓋部に設けられるポケット部の平面図
【図５】従来のテープカセット用収納ケースの蓋部に設けられるポケット部の平面図
【符号の説明】
【００３４】
１０      テープカセット用収納ケース
１１      収納部
１２      蓋部
１３      背板
Ｃ        テープカセット
５０  ポケット部
５１  面状部材
５２，５３  溶着部
５４  切欠部
５４ａ  吸収部
５５  ラベルシート挿入口
【図１】
2005350089.tif 000003
【図２】
2005350089.tif 000004
【図３】
2005350089.tif 000005
【図４】
2005350089.tif 000006
【図５】
2005350089.tif 000007